(57)【要約】【課題】  窓部の結露を防ぐことができ、さらに、乾燥容易で取り替え容易な除湿カーテンを提供する。【解決手段】  窓側のインナーカーテン３Ａと室内側の本体カーテン３Ｂとを備え、前記インナーカーテン３Ａは、所定の細孔率と所定の比表面積を有する人工ゼオライトを配合した吸水性塗膜を有するレース状カーテンである除湿カーテンカーテン１とした。【選択図】図１
0003173461.tif 000002
【実用新案登録請求の範囲】
【請求項１】
窓側のインナーカーテンと室内側の本体カーテンとを備え、前記インナーカーテンは、所定の細孔率と所定の比表面積を有する人工ゼオライトを配合した吸水性塗膜を有するレース状カーテンであることを特徴とする除湿カーテン。
【請求項２】
前記インナーカーテンは、光触媒機能を発揮する酸化チタンを配合した繊維を用いていることを特徴とする請求項１に記載の除湿カーテン。
【請求項３】
前記インナーカーテンは、含有する水分量に応じた色に変色する変色剤を含有していることを特徴とする請求項１または２に記載の除湿カーテン。
【請求項４】
前記インナーカーテンは、含有する水分量に応じて変色する反応試薬を含んだインクにより所定の図柄が印刷されていることを特徴とする請求項１から３のいずれかに記載の除湿カーテン。
【考案の詳細な説明】
【技術分野】
【０００１】  本考案は、カーテンに関し、特に、冬場に結露しやすい窓部に好適な除湿カーテンに関するものである。
【背景技術】
【０００２】  従来、カーテンは、カーテンレールにカーテンランナーをスライド可能に装着して、カーテンを吊り下げるカーテンフックをカーテンランナーに引っ掛け、カーテンの端を摘んで開閉する構成とされている。【０００３】  また、窓側のレース状のインナーカーテンと室内側の本体カーテンとを備えた二重構造のカーテンも一般に知られている。そのために、レース状のインナーカーテンのみを用いた明るい解放感や、本体カーテンを用いた所定の雰囲気を好みに応じて使い分けることができる。さらには、部屋の模様替えや季節感を得るために、本体カーテンの柄を変えて気分転換を図ることも行われている。【０００４】  また、室内の環境を良好に維持するために、カーテンに種々の機能を持たせることが提案されており、すでに、カーテンに難燃性や防臭機能や抗菌機能を持たせることが行われている。例えば、カーテンを作製するための原料繊維に、難燃剤や防臭剤や光触媒などを含有させてカーテン用の布地を作製することが知られている。さらには、カーテンに除湿機能や調湿機能を持たせるようにすることも行われている。【０００５】  例えば、吸水性物質や吸湿性物質を含有する吸放湿性樹脂層を設けたカーテン（例えば、特許文献１参照）や、高吸湿性微粒子が付着されたシートを用いたカーテン（例えば、特許文献２）などがすでに提案されている。
【先行技術文献】
【特許文献】
【０００６】
【特許文献１】  特開２００４−１４７７３４号公報
【特許文献２】  特開２００３−１１６７１１号公報
【考案の概要】
【考案が解決しようとする課題】
【０００７】  しかし、カーテン地が吸湿性を備えるだけでは不十分であって、室内にいる人が気持ちよく過ごせるように所定の雰囲気を醸し出すことが好ましい。そのために、所定の模様や図柄が吸収する湿度や水分により変化しないカーテン部を備えていること、また、消臭機能や抗菌機能などの所定の機能を備えていることが望ましい。【０００８】  また、窓部のガラス面に対向するカーテンは、結露を防ぎ室内の湿度を調節できるように、所定の吸湿性を有していることが望ましい。そのために、カーテンの室内側に面した表面やガラス窓に面した裏面にはそれぞれ異なる機能が求められ、また、カーテン全体として求められる所定の機能があることも確かである。【０００９】  また、一般家庭の室内に使用する際には、求められる種々の機能に対して、それぞれの機能を発揮するカーテンに取り替え容易であることが好ましく、意匠性が求められるカーテン体と吸湿性が求められるカーテン体とが、それぞれ個別に交換できることが好ましい。さらに、吸湿性を有するカーテン体は容易に乾燥できることが好ましい。【００１０】  本考案は、上記問題点に鑑み、窓部の結露を防ぐことができ、さらに、乾燥容易で取り替え容易な除湿カーテンを提供することを目的とする。
【課題を解決するための手段】
【００１１】  上記課題を解決するために本考案は、窓側のインナーカーテンと室内側の本体カーテンとを備え、前記インナーカーテンは、所定の細孔率と所定の比表面積を有する人工ゼオライトを配合した吸水性塗膜を有するレース状カーテンであることを特徴とする。【００１２】  この構成によると、インナーカーテンが所定の吸水性能を発揮して、窓ガラスの結露を効果的に防ぐことができる。また、レース状のインナーカーテンに吸水性能を付加しているので、このインナーカーテンを外気に触れさせて通風することで、容易に乾燥させることができる。また、インナーカーテンのみを取り替えて、新たな吸水効果を発揮することができる。すなわち、乾燥容易で取り替え容易な除湿カーテンを得ることができる。【００１３】  また本考案は、上記構成の除湿カーテンにおいて、前記インナーカーテンは、光触媒機能を発揮する酸化チタンを配合した繊維を用いていることを特徴としている。この構成によると、吸水性能に加えて防汚機能や消臭機能や抗菌機能などの好ましい機能を発揮することができる。【００１４】  また本考案は、上記構成の除湿カーテンにおいて、前記インナーカーテンは、含有する水分量に応じた色に変色する変色剤を含有していることを特徴としている。この構成によると、吸水した水分量を目視にて判断でき、インナーカーテンの乾燥時期や交換のタイミングを容易に知ることができる。【００１５】  また本考案は、上記構成の除湿カーテンにおいて、前記インナーカーテンは、含有する水分量に応じて変色する反応試薬を含んだインクにより所定の図柄が印刷されていることを特徴としている。この構成によると、インナーカーテンに設けられた所定の図柄の色具合により、インナーカーテンの除湿度合いを容易に確認することができて、インナーカーテンの乾燥時期や交換のタイミングを容易に知ることができる。
【考案の効果】
【００１６】  本考案によれば、窓側のインナーカーテンが、所定の細孔率と所定の比表面積を有する人工ゼオライトを配合したレース状カーテンである構成の除湿カーテンとしたので、インナーカーテンが所定の吸水性能を発揮して、窓部の結露を効果的に防ぐことができる。また、レース状のインナーカーテンに吸水性能を付加しているので、このインナーカーテンを外気に触れさせて通風することで、容易に乾燥させることができる。また、インナーカーテンのみを取り替えて、新たな吸水効果を発揮することができる。すなわち、乾燥容易で取り替え容易な除湿カーテンを得ることができる。
【図面の簡単な説明】
【００１７】
【図１】本考案に係る除湿カーテンの概要を示す側面図である。
【図２】本考案に係るインナーカーテンの概要を示す正面図である。
【考案を実施するための形態】
【００１８】  以下に本考案の実施形態を図面を参照して説明する。また、同一構成部材については同一の符号を用い、詳細な説明は適宜省略する。
【００１９】  本考案に係る除湿カーテン１は、ガラス窓の結露を防ぐ除湿機能を備えた室内用のカーテンであって、例えば図１の概略側面図に示すように、所定の吸水効果を発揮するインナーカーテン３Ａと所定の模様や絵柄がプリントされた本体カーテン３Ｂを備えている。
【００２０】  インナーカーテン３Ａと本体カーテン３Ｂとは、窓枠５に隣接して配置されるカーテンレール２（第一カーテンレール２Ａ、第二カーテンレール２Ｂ）にスライダーとカーテンフックを介して開閉自在に吊り下げ支持されている。インナーカーテン３Ａは、窓枠５に支持された内側ガラス４Ａに対向して設置されるレース状カーテンである。
【００２１】  所定の吸水効果は、所望される吸水能力を有する吸水性物質をカーテン表面、特に、ガラス窓に対向する側のインナーカーテン３Ａの外側の面に塗布することで達成することができる。適当な吸水性物質は、例えば所定の吸水能力を発揮する人工ゼオライトを用いることが好ましい。
【００２２】  この人工ゼオライトは、石炭火力発電所から排出される石炭灰や製紙工場から排出される製紙スラッジ焼却灰などを原料として製造され、比較的大量に、また、安価に入手可能な原料であるので、カーテンに用いる吸水性物質として好ましいといえる。
【００２３】  また、所定の粒子径分布と細孔径分布と比表面積を有する人工ゼオライトを選択して用いることで、所定の吸水能力を発揮して、ガラス窓の結露を効果的に防止することが可能となる。
【００２４】  例えば、粒子径５〜１００μｍ、細孔径５〜１０Å、比表面積１００〜１５０ｍ２／ｇの人工ゼオライトを樹脂バインダーに所定量配合して、インナーカーテンのレース地のガラス窓に対向する面に塗布することで、所定の吸水性能を発揮するインナーカーテン３Ａを製造することができる。
【００２５】  また、レース状のインナーカーテン３Ａは、カーテン地自体が通風性を有するので、窓を解放し、室内側の本体カーテン３Ｂを閉めるか外すことで、挿通する外気によって容易に乾燥させることができる。
【００２６】  すなわち、本実施形態に係る除湿カーテン１は、窓側のインナーカーテン３Ａと室内側の本体カーテン３Ｂとを備え、前記インナーカーテン３Ａは、所定の細孔率と所定の比表面積を有する人工ゼオライトを配合した吸水性塗膜を有するレース状カーテンである。
【００２７】  この構成であれば、インナーカーテン３Ａが所定の吸水性能を発揮するので、窓部の結露を効果的に防ぐことができる。また、レース状のインナーカーテン３Ａに吸水性能を付加しているので、このインナーカーテンを外気に触れさせて通風することで、容易に乾燥させることができる。また、インナーカーテンＡのみを取り替えて、新たな吸水効果を発揮することができる。すなわち、乾燥容易で取り替え容易な除湿カーテン１を得ることができる。
【００２８】  このレース状のインナーカーテン３Ａは、ポリエステル繊維などの化合繊を用いて織編成した布地を用いる。例えば、７５デニールのポリエステル加工糸を用いた経編地を用いることができる。ポリエステル加工糸を用いた経編地は、遮光性に優れ、目隠し機能を有するレースカーテンとなる。
【００２９】  さらに、ポリエステル糸を製造する化合繊製造紡糸工程で、難燃剤を混入して溶融紡糸することで、糸内部に難燃剤を含有した（練りこんだ）ポリエステル糸を製造することができる。ポリエステルあるいはポリアミドのような溶融紡糸可能な熱可塑性ポリマーに着色剤や各種の機能性付与剤を添加して化合繊糸を製造する。
【００３０】  前記ポリエステル糸は添加する機能性付与剤を変更することで種々の機能を発揮する化合繊糸を得ることができる。また、機能性付与剤を練りこんで溶融紡糸した化合繊糸は、当然に機能性を付加するための後加工が不要であり、加工工程を短縮することができる。
【００３１】  また、予め地糸内部に難燃剤を練りこんでいるので、洗濯等によって難燃性が悪化することもなく、長期にわたって安定した難燃性を発揮することができる。つまり、このようなカーテンは、半永久的に安定した難燃性を発揮可能となる。
【００３２】  レースカーテンでは、花模様や種々の幾何学模様を柄糸として編み込むことができる。例えば、柄糸として地糸よりも大きなデニール数の太いポリエステル加工糸を用いて編み込むと、さらに目隠し機能を発揮することができる。
【００３３】  また、光触媒機能を有する酸化物を練り込んだポリエステル加工糸を用いることで、消臭機能や防菌機能や防汚機能などの光触媒機能を発揮することができる。さらには、光触媒機能を有する酸化物を予め繊維原料に練りこんでいるので、洗濯などの後処理で脱落することもなく、長期間にわたる製品寿命を発揮することができる。
【００３４】  前記光触媒機能を有する酸化物としては、例えば酸化チタンが好ましい。酸化チタンは白い粉末であって、微粉末として溶融紡糸工程で糸原料に混入しやすい素材であり、光触媒酸化物として代表的な素材であるためである。
【００３５】  また、含有する水分量に応じた色に変色する変色剤を含有させて、吸水した水分量を目視にて判断できようにしてもよい。この構成であれば、インナーカーテン３Ａの乾燥時期や交換のタイミングを容易に知ることができる。
【００３６】  前記柄糸として１５０〜３００デニールの糸太さのポリエステル加工糸を用いれば、大量の光触媒機能を有する酸化物や変色剤などを太い柄糸に練りこむことができ、安定した光触媒機能を発揮可能な柄糸を得ることができる。さらには、光触媒機能に加えて変色機能寿を発揮することができる。
【００３７】  また、インナーカーテン３Ａは、含有する水分量に応じて変色する反応試薬を含んだインクにより所定の図柄が印刷されていてもよい。この構成であれば、インナーカーテンＡに設けられた所定の図柄の色具合により、インナーカーテン３Ａの除湿度合いを容易に確認することができて、インナーカーテン３Ａの乾燥時期や交換のタイミングを容易に知ることができる。
【００３８】  例えば、図２に示すように、含有する水分量に応じて変色する反応試薬を含んだ所定のインクにより、例えば、図示するような花柄の図柄６を印刷する。すると、この図柄６が、吸水する水分量によって色が変わるので、どの程度湿ってきたかを容易に見積もることができる。また、花柄模様が変色するので、所定の意匠効果も発揮して、室内にいる人の気分を和らげることも可能となる。
【００３９】  上記したように、本考案に係る除湿カーテンによれば、インナーカーテンが所定の吸水性能を発揮するので、窓部の結露を効果的に防ぐことができる。また、レース状のインナーカーテンに吸水性能を付加しているので、このインナーカーテンを外気に触れさせて通風することで、容易に乾燥えることができる。また、インナーカーテンのみを取り替えて、新たな吸水効果を発揮することができる。すなわち、乾燥容易で取り替え容易な除湿カーテンを得ることができる。
【００４０】  また、吸水性能を発揮するための吸水性物質は、所定の吸水能力を発揮する人工ゼオライトを用いているので、比較的安価に入手可能な原料であるので、カーテンに用いる吸水性物質として好ましい。
【００４１】  さらに、光触媒機能を発揮する酸化チタンを配合した繊維を用いていることで、吸水性能に加えて防汚機能や消臭機能や抗菌機能などの好ましい機能を発揮することができる。
【００４２】  そのために、本考案に係る除湿カーテンは、ガラス窓の結露を抑制すると共に、防汚機能や消臭機能や抗菌機能などの機能が求められる窓部用カーテンに好適に適用できる。
【符号の説明】
【００４３】１    除湿カーテン
２    カーテンレール
３Ａ  インナーカーテン
３Ｂ  本体カーテン
４Ａ  内側ガラス
５    窓枠
６    図柄
【図１】
0003173461.tif 000003
【図２】
0003173461.tif 000004